(57)【要約】【課題】高効率で電力変換して通信の基地局に電力を供給することを可能とする電力変換装置を提供する。【解決手段】通信の基地局に電力を供給する複合型の電力変換装置であって、非接地の第１のＤＣバスと、太陽光発電パネルと第１のＤＣバスとの間に設けられる第１の非絶縁型ＤＣ／ＤＣ部と、蓄電池と第１のＤＣバスとの間に設けられる第２の非絶縁型ＤＣ／ＤＣ部と、２電路のうち一方が接地され、第１のＤＣバスより低電圧であって、第１のＤＣバスとは異なる極性の電圧が印加される第２のＤＣバスと、第２のＤＣバスを介して基地局と接続され、第２のＤＣバスと第１のＤＣバスとの間に設けられる絶縁型ＤＣ／ＤＣ部と、を備える。【選択図】図１
2020058232.tif 000002
【特許請求の範囲】
【請求項１】
通信の基地局に電力を供給する複合型の電力変換装置であって、
非接地の第１のＤＣバスと、
太陽光発電パネルと前記第１のＤＣバスとの間に設けられる第１の非絶縁型ＤＣ／ＤＣ部と、
蓄電池と前記第１のＤＣバスとの間に設けられる第２の非絶縁型ＤＣ／ＤＣ部と、
２電路のうち一方が接地され、前記第１のＤＣバスより低電圧であって、前記第１のＤＣバスとは異なる極性の電圧が印加される第２のＤＣバスと、
前記第２のＤＣバスを介して前記基地局と接続され、前記第２のＤＣバスと前記第１のＤＣバスとの間に設けられる絶縁型ＤＣ／ＤＣ部と、を備える、電力変換装置。
【請求項２】
前記第１のＤＣバスには所定の直流電圧が印可され、
前記第１の非絶縁型ＤＣ／ＤＣ部及び前記第２の非絶縁型ＤＣ／ＤＣ部は、前記第１のＤＣバスの直流電圧が所定値となるよう、それぞれ、前記太陽光発電パネルによる直流電圧及び前記蓄電池からの直流電圧を変換する、請求項１に記載の電力変換装置。
【請求項３】
前記第１のＤＣバスと交流電路との間に設けられるＤＣ／ＡＣ部をさらに備える、請求項１又は請求項２に記載の電力変換装置。
【請求項４】
前記第１のＤＣバスと前記絶縁型ＤＣ／ＤＣ部との間に設けられる第３の非絶縁型ＤＣ／ＤＣ部をさらに備える、請求項１から請求項３のいずれか１項に記載の電力変換装置。
【請求項５】
請求項１から請求項４のいずれか１項に記載の電力変換装置と、
前記電力変換装置が収められる筐体とを含む、パワーコンディショナ。
【請求項６】
請求項１から請求項４のいずれか１項に記載の電力変換装置が複数組設けられ、それぞれの前記絶縁型のＤＣ／ＤＣ部から１つの前記基地局へ給電路を合流させる、パワーコンディショナシステム。
【請求項７】
請求項１から請求項４のいずれか１項に記載の電力変換装置と、
前記蓄電池と、を含む、電源システム。
【請求項８】
請求項１から請求項４のいずれか１項に記載の電力変換装置と、
前記太陽光発電パネルと、
前記蓄電池と、を含む、電源システム。
【発明の詳細な説明】
【技術分野】
【０００１】
この開示は電力変換装置、パワーコンディショナ、パワーコンディショナシステム、および電源システムに関する。
【背景技術】
【０００２】
特開２０１４−４２４１７号公報（特許文献１）にもあるように、携帯電話機などの基地局に直流によって電力を供給するシステムとして、近年、太陽光発電と蓄電池とを組み合わせた複合型のシステムが普及している。
【０００３】
図３は、基地局１２０に直流によって電力を供給する、従来の複合型の電力供給システムの構成を表した概略図である。図３を参照して、システムは、基地局１２０に−４８Ｖの直流にて電力を供給するためのＤＣバス１１４を含む。ＤＣバス１１４には、ＤＣ／ＤＣ部１１２Ａ，１１２Ｂを介して１または複数の太陽光発電パネル１３０Ａ，１３０Ｂ（これらを代表して太陽光発電パネル１３０と称する）が接続され、ＤＣ／ＤＣ部１１３を介して蓄電池ユニット１４０が接続されている。なお、このようなシステムには、発電量あるいは蓄電量の不足に備えた発電機や、商用電力系統などの交流電源１５０が接続されていてもよい。交流電源１５０は、変圧器１５１および整流器１１６を介してＤＣバス１１４に接続されている。
【先行技術文献】
【特許文献】
【０００４】
【特許文献１】特開２０１４−４２４１７号公報
【発明の概要】
【発明が解決しようとする課題】
【０００５】
図３のシステムではＤＣバス１１４の一方の電路が接地されている。そのため、ＤＣバス１１４に接続される各ＤＣ／ＤＣ部１１２Ａ，１１２Ｂ，１１３は、いずれも絶縁型ＤＣ／ＤＣ部とする必要がある。絶縁型ＤＣ／ＤＣ部は非絶縁型と比較すると電力変換の効率が多少劣る。そのため、システムにおいて絶縁型ＤＣ／ＤＣ部が用いられるほど、システム全体としての電力変換の効率が劣るという問題がある。また図３のシステムでは、太陽光発電パネル１３０によって発電された電力を蓄電池ユニット１４０に蓄電（充電）する際に、太陽光発電パネル１３０からの電流が絶縁型ＤＣ／ＤＣ部１１２Ａまたは１１２Ｂおよび絶縁型ＤＣ／ＤＣ部１１３と、非絶縁型ＤＣ／ＤＣ部よりも電力変換の効率の多少劣る絶縁型ＤＣ／ＤＣ部を２つ経由することになる。そのため、充電のための電力変換の効率も低下することになる。
【０００６】
本開示のある局面における目的は、高効率で電力変換して通信の基地局に電力を供給することを可能とする電力変換装置、パワーコンディショナ、パワーコンディショナシステム、および電源システムを提供することである。
【課題を解決するための手段】
【０００７】
本開示は、通信の基地局に電力を供給する複合型の電力変換装置であって、非接地の第１のＤＣバスと、太陽光発電パネルと第１のＤＣバスとの間に設けられる第１の非絶縁型ＤＣ／ＤＣ部と、蓄電池と第１のＤＣバスとの間に設けられる第２の非絶縁型ＤＣ／ＤＣ部と、２電路のうち一方が接地され、第１のＤＣバスより低電圧であって、第１のＤＣバスとは異なる極性の電圧が印加される第２のＤＣバスと、第２のＤＣバスを介して基地局と接続され、第２のＤＣバスと第１のＤＣバスとの間に設けられる絶縁型ＤＣ／ＤＣ部と、を備える。
【０００８】
また、パワーコンディショナは、上記の電力変換装置と、この電力変換装置が収められる筐体とを含む。
【０００９】
また、パワーコンディショナシステムは、上記の電力変換装置が複数組設けられ、それぞれの絶縁型のＤＣ／ＤＣ部から１つの基地局へ給電路を合流させるものである。
【００１０】
また、電源システムは、上記の電力変換装置と蓄電池とを含むか、または上記の電力変換装置と太陽光発電パネルと蓄電池とを含む。
【発明の効果】
【００１１】
この開示によると、高効率で電力変換して通信の基地局に電力を供給することができる。
【図面の簡単な説明】
【００１２】
【図１】実施の形態にかかる電力変換装置の構成を表した概略図である。
【図２】第２の実施の形態における、複数の電力変換装置を含んだシステム構成の一例を表した図である。
【図３】従来の複合型の電力供給システムの構成を表した概略図である。
【発明を実施するための形態】
【００１３】
［実施の形態の説明］
本実施の形態には、少なくとも以下のものが含まれる。
【００１４】
（１）本実施形態に係る電力変換装置は、通信の基地局に電力を供給する複合型の電力変換装置であって、非接地の第１のＤＣバスと、太陽光発電パネルと第１のＤＣバスとの間に設けられる第１の非絶縁型ＤＣ／ＤＣ部と、蓄電池と第１のＤＣバスとの間に設けられる第２の非絶縁型ＤＣ／ＤＣ部と、２電路のうち一方が接地され、第１のＤＣバスより低電圧であって、第１のＤＣバスとは異なる極性の電圧が印加される第２のＤＣバスと、第２のＤＣバスを介して基地局と接続され、第２のＤＣバスと第１のＤＣバスとの間に設けられる絶縁型ＤＣ／ＤＣ部と、を備える。
上記の構成によれば、非絶縁型ＤＣ／ＤＣ部よりも変換効率が多少劣る絶縁型ＤＣ／ＤＣ部の数を抑えることができる。従って、電力変換装置全体としての効率を高めることができる。
【００１５】
（２）本実施形態に係る電力変換装置において、第１のＤＣバスには所定の直流電圧が印可され、第１の非絶縁型ＤＣ／ＤＣ部及び第２の非絶縁型ＤＣ／ＤＣ部は、第１のＤＣバスの直流電圧が所定値となるよう、それぞれ、太陽光発電パネルによる直流電圧及び蓄電池からの直流電圧を変換する構成であってもよい。
【００１６】
（３）本実施形態に係る電力変換装置において、第１のＤＣバスと交流電路との間に設けられるＤＣ／ＡＣ部をさらに備えてもよい。
上記の構成によれば、交流電路から電力を供給して蓄電池を充電することができる。また、逆に、直流電源から交流電路への電力供給が可能となる。さらに、交流電路に商用電力系統が接続されている場合は、系統連系による売電が可能となる。
【００１７】
（４）本実施形態に係る電力変換装置は、第１のＤＣバスと絶縁型ＤＣ／ＤＣ部との間に設けられる第３の非絶縁型ＤＣ／ＤＣ部をさらに備えてもよい。
【００１８】
（５）本実施形態に係るパワーコンディショナは、上記構成の電力変換装置と、電力変換装置が収められる筐体とを含む。
上記の構成によれば、すべての電源および負荷に関して必要な電力変換機能を全て搭載したコンパクトな複合型のパワーコンディショナを提供することができる。
【００１９】
（６）本実施形態に係るパワーコンディショナシステムは、上記構成の電力変換装置が複数組設けられ、それぞれの絶縁型のＤＣ／ＤＣ部から１つの基地局へ給電路を合流させる。
上記の構成によれば、１台の大容量電力変換装置で基地局に給電するよりも、複数の電力変換装置で出力を分担できる。そのため、個々の電力変換装置では、基地局への給電電流を抑制することができる。従って、給電路が距離的に長い場合にも電圧降下を抑制することができる。
【００２０】
（７）本実施形態に係る電源システムは、上記構成の電力変換装置と蓄電池とを含む。
（８）本実施形態に係る電源システムは、上記構成の電力変換装置と太陽光発電パネルと蓄電池と、を含む。
【００２１】
［実施の形態の詳細］
以下に、図面を参照しつつ、好ましい実施の形態について説明する。
【００２２】
［第１の実施の形態］
図１は、本実施の形態にかかる電力変換装置の構成を表した概略図である。本実施の形態にかかる電力変換装置（パワーコンディショナ）１０は、電源としての１または複数の太陽光発電パネル３０Ａ，３０Ｂおよび蓄電池ユニット４０と接続されて、太陽光発電パネル３０Ａ，３０Ｂの発電によって生じた電力、または蓄電池ユニット４０に蓄電された電力を、直流によって基地局２０に供給する。１または複数の太陽光発電パネル３０Ａ，３０Ｂを代表させて太陽光発電パネル３０と称する。
【００２３】
蓄電池ユニット４０に含まれる蓄電池４１は、一例としてリチウムイオンバッテリーである。蓄電池ユニット４０にはジャンクションボックス４２が接続され、蓄電池４１と電力変換装置１０とがジャンクションボックス４２によって接続される。
【００２４】
図１を参照して、電力変換装置１０と基地局２０とは、電圧が−４８ＶであるＤＣバス１４によって接続されている。ＤＣバス１４は、２電路のうち一方が接地されている。電力変換装置１０は、ＤＣバス１４を介して電力を基地局２０に供給する。ＤＣバス１４は、電力変換装置１０に含まれるものであってもよいし、電力変換装置１０には含まれず、電力変換装置１０にＤＣバス１４に接続するための機構が設けられていてもよい。ＤＣバス１４が電力変換装置１０に含まれる場合、電力変換装置１０から伸びて基地局２０に接続されるＤＣバスは、電力変換装置１０の後述するＤＣ／ＤＣ部１５Ａの出力端に設けられるコネクタや端子台等の接続部において、電力変換装置１０に含まれるＤＣバス１４と接続されており、電力変換装置１０から基地局２０に電力を供給する。
【００２５】
電力変換装置１０は、ＤＣバス１４よりも高電圧なＤＣバス１１を有する。ＤＣバス１１の電圧は、一例として３５０Ｖである。ＤＣバス１１とＤＣバス１４との間には絶縁型ＤＣ／ＤＣ部１５Ａが設けられる。ＤＣ／ＤＣ部１５Ａは、ＤＣバス１１の直流電圧をＤＣバス１４の直流電圧に変換（降圧）する。絶縁型のＤＣ／ＤＣ部１５Ａは電力変換装置１０に含まれてもよいし、電力変換装置１０外にあってもよい。また、ＤＣ／ＤＣ部１５ＡとＤＣバス１１との間にはさらに非絶縁型のＤＣ／ＤＣ部１５Ｂが設けられ、ＤＣバス１１の直流電圧が多段階にＤＣバス１４の直流電圧まで変換（降圧）されてもよい。
【００２６】
太陽光発電パネル３０Ａ，３０ＢとＤＣバス１１との間には、それぞれ非絶縁型のＤＣ／ＤＣ部１２Ａ，１２Ｂが設けられる。ＤＣ／ＤＣ部１２Ａ，１２Ｂを代表させてＤＣ／ＤＣ部１２と称する。ＤＣ／ＤＣ部１２は、太陽光発電パネル３０による直流電圧をＤＣバス１１の直流電圧に変換する。太陽光発電パネル３０から出力される直流電圧は、一例として３００Ｖである。
また、蓄電池ユニット４０とＤＣバス１１との間には非絶縁型のＤＣ／ＤＣ部１３が設けられる。蓄電池４１に蓄電された電力が基地局２０に供給される場合、ＤＣ／ＤＣ部１３は、蓄電池４１からの直流電圧をＤＣバス１１の直流電圧に変換する。太陽光発電パネル３０によって発電された電力が蓄電池４１に蓄電される場合、ＤＣ／ＤＣ部１３は、ＤＣバス１１の直流電圧を蓄電池４１の直流電圧に変換する。
【００２７】
電力変換装置１０には、さらに、発電量あるいは蓄電量の不足に備えた発電機や商用電力系統などを含む交流電源５０が、絶縁トランス５１を介して接続されている。交流電源５０とＤＣバス１１との間には、絶縁トランス５１を介して非絶縁型のＤＣ／ＡＣ部１６が設けられる。交流電源５０および絶縁トランス５１を含み、非絶縁型のＤＣ／ＡＣ部１６に接続される交流回路を、以降の説明では交流電路とも称する。
発電機または商用電力系統である交流電源５０から電力が電力変換装置１０に供給される場合、つまり交流電路から電力変換装置１０に電力が供給される場合、ＤＣ／ＡＣ部１６は交流電圧をＤＣバス１１の直流電圧に変換する。交流電圧は、一例として２００Ｖである。交流電源５０が商用電力系統であって、太陽光発電パネル３０によって発電された電力が交流電源５０に供給される場合、つまり、交流電路に電力変換装置１０から電力が供給（逆潮）される場合、ＤＣ／ＡＣ部１６は、ＤＣバス１１の直流電圧を商用電力系統の交流電圧に変換する。なお、電力変換装置１０に交流電源５０が接続されていることは必須ではなく、太陽光発電パネル３０の発電量および蓄電池４１の蓄電量に十分な余裕がある場合には、交流電源５０が接続されていなくてもよい。
【００２８】
電力変換装置１０は、図示しないＣＰＵ（Central  Processing  Unit）やメモリなどを有する制御部１７を含む。制御部１７は、非絶縁型のＤＣ／ＤＣ部１２，１３，１５Ｂ（設けられている場合）、および、ＤＣ／ＡＣ部１６を制御する。ＤＣ／ＤＣ部１５Ａについては、単独の制御部（図示せず）によって制御するようにしてもよいし、また、制御部１７によって制御してもよい。
【００２９】
また、太陽光発電中、制御部１７は、ＭＰＰＴ（Maximum  Power  Point  Tracking）制御を行うようＤＣ／ＤＣ部１２を制御する。制御部１７からの制御信号に従って、ＤＣ／ＤＣ部１２はＭＰＰＴ制御を行う。
【００３０】
また、制御部１７は、ＤＣバス１１の電圧に応じた電力変換を行うようＤＣ／ＤＣ部１３を制御する。たとえば、太陽光発電パネル３０による発電量が基地局２０に供給する電力量よりも少ない場合、ＤＣバス１１の電圧が降下するので、ＤＣ／ＤＣ部１３は、蓄電池４１を放電させる。これにより、蓄電池４１に蓄電されている電力が基地局２０に供給される。また、太陽光発電パネル３０による発電量が基地局２０に供給する電力量を上回る場合、ＤＣバス１１の電圧が上昇するので、ＤＣ／ＤＣ部１３は、蓄電池４１の充電を行う。これにより、太陽光発電パネル３０によって発電された電力により蓄電池４１が充電される。このようにして、ＤＣバス１１の直流電圧が、制御部１７の制御に従うＤＣ／ＤＣ部１３によって制御される。
【００３１】
計測ユニット６０は、交流電路の電圧および電流を計測し、計測結果を通信により制御部１７に送る。また、逆潮の場合、制御部１７は、蓄電池４１の放電電力が逆潮されることのないよう監視し、制御する。また、制御部１７は、蓄電池ユニット４０に含まれるジャンクションボックス４２と通信して蓄電池４１の蓄電量等の情報を得る。制御部１７と計測ユニット６０およびジャンクションボックス４２との通信は、有線によるものでも無線によるものでもよい。
【００３２】
制御部１７はジャンクションボックス４２から得られた情報に基づいて、蓄電池４１の蓄電量が所定量を下回ることを検出すると、交流電路から電力変換装置１０に電力供給するための制御を行う。この場合、制御部１７からの制御信号に従ってＤＣ／ＡＣ部１６は、交流電圧をＤＣバス１１の直流電圧に変換する。
【００３３】
また、制御部１７はＤＣバス１１の電圧を監視して、該電圧が所定電圧以上に上昇していることを検出すると、太陽光発電パネル３０によって発電された電力を交流電路に供給（逆潮）するための制御を行う。この場合、制御部１７からの制御信号に従ってＤＣ／ＡＣ部１６は、ＤＣバス１１の直流電圧を商用電力系統の交流電圧に変換する。ＤＣ／ＡＣ部１６は、制御部１７からの制御信号に従って、ＤＣバス１１の電圧が規定の電圧（たとえば３５０Ｖ）に戻るまで、ＤＣバス１１の直流電圧を商用電力系統の交流電圧に変換する。これにより、ＤＣバス１１の直流電圧が、制御部１７の制御に従うＤＣ／ＡＣ部１６によって制御される。
【００３４】
［第１の実施の形態の効果］
本実施の形態にかかる電力変換装置１０では、ＤＣバス１１の電源（太陽光発電パネル３０および蓄電池ユニット４０）側に絶縁型のＤＣ／ＤＣ部を設けるのではなく、負荷（基地局２０）側にのみ絶縁型のＤＣ／ＤＣ部（ＤＣ／ＤＣ部１５Ａ）が設けられる。そのため、図３に表されたような従来の電力変換装置よりも絶縁型のＤＣ／ＤＣ部の個数が抑えられる。絶縁型のＤＣ／ＤＣ部は非絶縁型のＤＣ／ＤＣ部より電力変換の効率が多少劣るため、その個数が抑えられることによって、電力変換装置１０における電力変換の効率が従来の電力変換装置の電力変換の効率よりも向上する。
【００３５】
また、電力変換装置１０内はＤＣバス１１によって各電源が接続されている。電力変換装置１０は、基地局２０に電力を供給する際にＤＣバス１１中の電力を変換して、低電圧での給電路であるＤＣバス１４を用いて基地局２０に電力を供給する。そのため、電力変換装置１０におけるＤＣバス１４の区間を限定的なものとし、ＤＣバス１１を用いない従来の電力変換装置よりも、ＤＣバス１４の線路長を短くすることができる。ＤＣバス１４は、ＤＣバス１１よりも低電圧であるために大電流となる。しかしながら、電力変換装置１０におけるＤＣバス１４の線路長が短ければ従来の電力変換装置よりも電圧降下も抑えられ、かつ、従来の電力変換装置よりも低コストな構成とすることができる。
【００３６】
また、電力変換装置１０において、ＤＣバス１１はＤＣ／ＤＣ部１５Ａを介してＤＣバス１４に接続されている。そのため、ＤＣバス１１はＤＣバス１４の電圧に影響されることがない。それ故、ＤＣバス１１の直流電圧を、たとえば交流電路のピーク電圧（波高値）を超える程度の、比較的高い電圧とすることができる。従って、図３に表されたような従来の電圧変換装置において採用されているように、基地局１２０の電圧であるＤＣバス１１４を電源（太陽光発電パネル３０および蓄電池ユニット４０）に接続する構成と比較すると、電源と接続されるバスを高電圧で、低電流とすることができる。その結果、電力変換装置１０ではＤＣバス１１および全てのＤＣ／ＤＣ部の電流容量が低減され、よりコンパクトにすることができる。
【００３７】
また、電力変換装置１０において、電源である太陽光発電パネル３０および蓄電池ユニット４０は、それぞれ、非絶縁型のＤＣ／ＤＣ部１２，１３を介してＤＣバス１１に接続される。そのため、たとえば、太陽光発電パネル３０によって発電された電力により蓄電池ユニット４０を充電する際に、絶縁型のＤＣ／ＤＣ部１５Ａを経由することなく電力が蓄電池ユニット４０に供給される。従って、充電のための電力変換の効率を向上させることができる。
【００３８】
また、電力変換装置１０において、ＤＣバス１１は絶縁型のＤＣ／ＤＣ部１５Ａを介してＤＣバス１４および基地局２０に接続されているため、たとえば基地局２０に落雷によるサージ電圧が発生しても、ＤＣ／ＤＣ部１５Ａの存在によって、ＤＣバス１１にサージ電圧が侵入することを防止できる。
【００３９】
さらに、電力変換装置１０にＤＣ／ＡＣ部１６を介して交流電源５０が接続される構成とすることによって、交流電路から供給された電力で蓄電池４１を充電することができる。また、逆に、電力変換装置１０にＤＣ／ＡＣ部１６を介して商用電力系統が接続される構成とすることによって、太陽光発電パネル３０によって発電された直流による電力を交流によって商用電力系統に供給すること、たとえば系統連系による売電が可能となる。
【００４０】
また、電力変換装置１０において、蓄電池ユニット４０とＤＣバス１１の間に設けられたＤＣ／ＤＣ部１３によってＤＣバス１１の直流電圧が制御される構成とすることによって、電力変換装置１０を交流電路と接続することなく、交流電路から独立した直流電路のみで構成することが可能となる。
【００４１】
なお、上記したように、電力変換装置１０は図示されない１つの筐体に収められたパワーコンディショナとして提供され得る。また、電力変換装置１０および蓄電池ユニット４０、もしくは電力変換装置１０、蓄電池ユニット４０および太陽光発電パネル３０を電源システムとして提供することもできる。これにより、すべての電源および負荷に関して必要な電力変換機能を搭載したコンパクトな複合型のパワーコンディショナ、あるいは電源システムとして電力変換装置１０を提供することができる。
【００４２】
［第２の実施の形態］
複数の電力変換装置を含むシステムを構築し、該システムから１つの基地局２０に対して直流によって電力が供給されてもよい。以下の説明では、第１の実施の形態で説明された部品および構成要素と同一の部品および構成要素には同一の符号を付してある。それらの名称および機能も同じである。したがって、これらの説明は繰り返さない。
図２は、第２の実施の形態における、複数の電力変換装置１０Ａ，１０Ｂ，…を含んだシステム構成の一例を表した図である。図２を参照して、第２の実施の形態においては、電源としての１または複数の太陽光発電パネル３０Ａ，３０Ｂおよび蓄電池ユニット４０Ａに接続された電力変換装置１０Ａと、太陽光発電パネル３０Ｃ，３０Ｄおよび蓄電池ユニット４０Ｂに接続された電力変換装置１０Ｂと、…の複数組の電力変換装置が設けられている。電力変換装置１０Ａ，１０Ｂ，…は、それぞれ絶縁型のＤＣ／ＤＣ部１５Ｃ，１５Ｄを介して、基地局２０に接続されたＤＣバス１４に接続されている。これにより、各電力変換装置１０Ａ，１０Ｂ，…からの直流電力はそれぞれ絶縁型のＤＣ／ＤＣ１５Ｃ，１５Ｄ部によって変換されて、ＤＣバス１４を通って基地局２０に供給される。
【００４３】
さらに、交流電源５０も複数設けられて、それぞれ、電力変換装置１０Ａ，１０Ｂ，…に接続されていてもよい。または、図２に表されたように、交流電源５０は電力変換装置１０Ａ，１０Ｂ，…よりも少ない数設けられて、複数の電力変換装置に接続されていてもよい。後者の場合、計測ユニット６０は複数の電力変換装置１０Ａ，１０Ｂ，…に含まれるすべての制御部１７と通信可能であってもよい。または、計測ユニット６０はいずれか１つの制御部１７とのみ接続されて、各電力変換装置１０Ａ，１０Ｂ，…に含まれる制御部１７同士で通信することで計測ユニット６０からの情報が共有されてもよい。
【００４４】
［第２の実施の形態の効果］
本実施の形態にかかるシステムに複数の電力変換装置１０Ａ，１０Ｂ，…が含まれることによって、複数の電力変換装置で基地局２０に供給する電力を分担できる。そのため、１台の大容量電力変換装置のみで基地局２０に電力を供給するよりも、個々の電力変換装置が基地局２０に供給する電流を抑制することができる。従って、低電圧での給電路であるＤＣバス１４が長くなった場合であっても電圧降下を抑制することができる。
【００４５】
［補記］
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００４６】
１０，１０Ａ，１０Ｂ，…  電力変換装置
１１，１４，１１４  ＤＣバス
１２，１２Ａ，１２Ｂ，１３，１１２Ａ，１１２Ｂ，１１３，１５Ａ〜１５Ｄ  ＤＣ／ＤＣ部
１６  ＤＣ／ＡＣ部
１７  制御部
２０，１２０  基地局
３０，３０Ａ〜Ｄ，１３０Ａ，１３０Ｂ  太陽光発電パネル
４０，４０Ａ，４０Ｂ，１４０  蓄電池ユニット
４１  蓄電池
４２  ジャンクションボックス
５０  交流電源
５１  絶縁トランス
６０  計測ユニット
１１６  整流器
１５０  交流電源
１５１  変圧器
【図１】
2020058232.tif 000003
【図２】
2020058232.tif 000004
【図３】
2020058232.tif 000005